(57)【要約】【課題】本発明は、映像信号の種類、ケーブルの長さなどによらず、映像信号を受信することが可能な表示装置および映像信号受信回路を提供する。【解決手段】本発明は、信号入力部２０と、イコライザ３０１と、減衰量検出部３０２と、制御部３０３と、信号受信部３０４と、表示部とを備える投写型映像表示装置１である。信号入力部２０は、映像信号を入力する。イコライザ３０１は、信号入力部２０から入力した映像信号の周波数特性を変更する。減衰量検出部３０２は、信号入力部２０から入力した映像信号のクロック信号から、入力した映像信号の減衰量を検出する。制御部３０３は、減衰量検出部３０２で検出した減衰量に基づき、入力した映像信号を増幅するようにイコライザ３０１を制御する。信号受信部３０４は、イコライザ３０１で周波数特性を変更し、増幅した映像信号を受信する。表示部は、信号受信部３０４で受信した映像信号を表示する。【選択図】図２
2012249139.tif 000002
【特許請求の範囲】
【請求項１】
映像信号を入力する信号入力部と、
前記信号入力部から入力した前記映像信号の周波数特性を変更するイコライザと、
前記信号入力部から入力した前記映像信号のクロック信号から、入力した前記映像信号の減衰量を検出する減衰量検出部と、
前記減衰量検出部で検出した前記減衰量に基づき、入力した前記映像信号を増幅するように前記イコライザを制御する制御部と、
前記イコライザで周波数特性を変更し、増幅した前記映像信号を受信する信号受信部と、
前記信号受信部で受信した前記映像信号を表示する表示部と
を備える表示装置。
【請求項２】
前記減衰量検出部は、
前記映像信号の位相の異なる２つの前記クロック信号の差分を増幅する差動増幅回路と、
前記差動増幅回路で増幅した前記クロック信号の差分を全波整流する全波整流回路と
を備え、
前記全波整流回路で全波整流して得られた直流電圧値から前記減衰量を検出する請求項１に記載の表示装置。
【請求項３】
前記表示部は、投写型である請求項１または請求項２に記載の表示装置。
【請求項４】
表示装置に入力する映像信号を受信する映像信号受信回路であって、
映像信号を入力する信号入力部と、
前記信号入力部から入力した前記映像信号の周波数特性を変更するイコライザと、
前記信号入力部から入力した前記映像信号のクロック信号から、入力した前記映像信号の減衰量を検出する減衰量検出部と、
前記減衰量検出部で検出した前記減衰量に基づき、入力した前記映像信号を増幅するように前記イコライザを制御する制御部と、
前記イコライザで周波数特性を変更し、増幅した前記映像信号を受信する信号受信部と
を備える映像信号受信回路。
【請求項５】
前記減衰量検出部は、
前記映像信号の位相の異なる２つの前記クロック信号の差分を増幅する差動増幅回路と、
前記差動増幅回路で増幅した前記クロック信号の差分を全波整流する全波整流回路と
を備え、
前記全波整流回路で全波整流して得られた直流電圧値から前記減衰量を検出する請求項４に記載の映像信号受信回路。
【発明の詳細な説明】
【技術分野】
【０００１】
本発明は、表示装置および映像信号受信回路に関し、特に、デジタル映像伝送技術を用いて映像信号を受信することができる表示装置および映像信号受信回路に関する。
【背景技術】
【０００２】
プロジェクタなどの投写型表示装置を含む表示装置は、チューナーや、パソコンとの間で映像信号を伝送することができるように、ＴＭＤＳ（Transition  Minimized  Differential  Signaling）方式などのデジタル信号伝送方式を採用している。
【０００３】
ＴＭＤＳ方式には、表示装置とコンピュータとを接続するためのインターフェース規格の一つであるＤＶＩ（Digital  Visual  Interface）方式や、表示装置とコンピュータを含むＡＶ機器などとを接続するためのインターフェース規格の一つであるＨＤＭＩ（High-Definition  Multimedia  Interface）方式などがある。
【０００４】
ここで、ＴＭＤＳ方式によって伝送される映像信号をＴＭＤＳ信号、ＤＶＩ方式によって伝送される映像信号をＤＶＩ信号、ＨＤＭＩ方式によって伝送される映像信号をＨＤＭＩ信号とする。
【０００５】
たとえば、デジタル入力インターフェースとしてＨＤＭＩ方式を採用している表示装置が、特許文献１に開示してある。
【先行技術文献】
【特許文献】
【０００６】
【特許文献１】特開２００９−１５２９４８号公報
【発明の概要】
【発明が解決しようとする課題】
【０００７】
特許文献１に開示してある表示装置では、ＨＤＭＩ信号を受信するＨＤＭＩレシーバとコンピュータとをケーブルで繋いでいる。しかし、特許文献１に開示してある表示装置は、ケーブルの長さを１０ｍ以上にするとＨＤＭＩ信号の減衰により、表示装置で表示する映像に乱れが生じることがある。そこで、映像信号の周波数特性を変更するイコライザを備えた表示装置が開発されている。この表示装置では、イコライザでＨＤＭＩ信号を調整するので、２０ｍ以上のケーブルでコンピュータと繋いでも、表示する映像に乱れが生じない。
【０００８】
しかし、イコライザを備えた表示装置は、イコライザの設定値が固定であるので、ＨＤＭＩ信号の中でもクロック周波数の遅いＶＧＡ（Video  Graphics  Array）信号を受信した場合、表示装置で表示する映像に乱れるという問題があった。また、イコライザを備えた表示装置は、イコライザの設定値が固定であるので、ＨＤＭＩレシーバとコンピュータとを繋ぐケーブルの長さや品質のより、表示装置で表示する映像に乱れるという問題があった。
【０００９】
それゆえに、本発明は、上記問題点を解決するためになされたものであり、映像信号の種類、ケーブルの長さなどによらず、映像信号を受信することが可能な表示装置および映像信号受信回路を提供することを目的とする。
【課題を解決するための手段】
【００１０】
本発明のある局面に従う表示装置は、映像信号を入力する信号入力部と、信号入力部から入力した映像信号の周波数特性を変更するイコライザと、信号入力部から入力した映像信号のクロック信号から、入力した映像信号の減衰量を検出する減衰量検出部と、減衰量検出部で検出した減衰量に基づき、入力した映像信号を増幅するようにイコライザを制御する制御部と、イコライザで周波数特性を変更し、増幅した映像信号を受信する信号受信部と、信号受信部で受信した映像信号を表示する表示部とを備える。
【００１１】
本発明のある局面に従う表示装置では、制御部が、減衰量検出部で検出した減衰量に基づき、入力した映像信号を増幅するようにイコライザを制御するので、映像信号の種類、ケーブルの長さなどの変化に合わせて自動的に映像信号を増幅することができ、表示装置で表示する映像に乱れが生じないように映像信号を受信することができる。
【００１２】
好ましくは、減衰量検出部が、映像信号の位相の異なる２つのクロック信号の差分を増幅する差動増幅回路と、差動増幅回路で増幅したクロック信号の差分を全波整流回路とを備え、全波整流回路で全波整流して得られた直流電圧値から減衰量を検出する。
【００１３】
減衰量検出部が、全波整流回路で全波整流して得られた直流電圧値から減衰量を検出することで、映像信号の種類、ケーブルの長さなどの変化による映像信号の減衰量を精度よく検出することができる。
【００１４】
好ましくは、表示部が、投写型である。
表示部が、投写型である場合、表示装置とコンピュータとを繋ぐケーブルは、表示装置を使用する環境により異なるため、本発明のある局面に従う表示装置の構成がより効果的となる。
【００１５】
本発明の別の局面に従う映像信号受信回路は、映像信号を入力する信号入力部と、信号入力部から入力した映像信号の周波数特性を変更するイコライザと、信号入力部から入力した映像信号のクロック信号から、入力した映像信号の減衰量を検出する減衰量検出部と、減衰量検出部で検出した減衰量に基づき、入力した映像信号を増幅するようにイコライザを制御する制御部と、イコライザで周波数特性を変更し、増幅した映像信号を受信する信号受信部とを備える。
【００１６】
本発明の別の局面に従う映像信号受信回路では、制御部が、減衰量検出部で検出した減衰量に基づき、入力した映像信号を増幅するようにイコライザを制御するので、映像信号の種類、ケーブルの長さなどの変化に合わせて自動的に映像信号を増幅することができ、映像信号受信回路で受信した信号を表示装置で表示する場合、映像に乱れが生じない。
【００１７】
好ましくは、映像信号受信回路の減衰量検出部は、映像信号の位相の異なる２つのクロック信号の差分を増幅する差動増幅回路と、差動増幅回路で増幅したクロック信号の差分を全波整流する全波整流回路とを備え、全波整流回路で全波整流して得られた直流電圧値から減衰量を検出する。
【００１８】
映像信号受信回路の減衰量検出部が、全波整流回路で全波整流して得られた直流電圧値から減衰量を検出することで、映像信号の種類、ケーブルの長さなどの変化による映像信号の減衰量を精度よく検出することができる。
【発明の効果】
【００１９】
本発明に係る表示装置および映像信号受信回路は、制御部が、減衰量検出部で検出した減衰量に基づき、入力した映像信号を増幅するようにイコライザを制御するので、映像信号の種類、ケーブルの長さなどの変化に合わせて自動的に映像信号を増幅することができ、表示装置で表示する映像に乱れが生じないように映像信号を受信することができる。
【図面の簡単な説明】
【００２０】
【図１】本発明の実施の形態に係る投写型映像表示装置の構成を示す概略図である。
【図２】本発明の実施の形態に係る投写型映像表示装置のレシーバ部の構成を示す概略図である。
【図３】本発明の実施の形態に係る投写型映像表示装置の減衰量検出部の回路構成を示す回路図である。
【図４】図３に示す減衰量検出部に正常なＴＭＤＳ＿Ｃ±信号が入力された場合の波形図である。
【図５】図３に示す減衰量検出部に減衰したＴＭＤＳ＿Ｃ±信号が入力された場合の波形図である。
【図６】本発明の実施の形態に係る投写型映像表示装置のレシーバ部の動作を説明するためのフローチャートである。
【図７】ＴＭＤＳ＿Ｃ±信号を全波整流して得られた直流電圧値（実効電圧Ｖｒｍｓ）と、イコライザがＴＭＤＳ信号を増幅するゲイン値との関係を示すグラフである。
【発明を実施するための形態】
【００２１】
以下、本発明の実施の形態について、図面を参照しながら詳細に説明する。なお、図中の同一または相当する部分には同一符号を付してその説明は繰返さない。
【００２２】
図１は、本発明の実施の形態に係る投写型映像表示装置の構成を示す概略図である。
図１に示す投写型映像表示装置１は、液晶パネルを利用して映像を投写する液晶プロジェクタである。投写型映像表示装置１は、液晶パネルを透過した光をスクリーンに投写することにより、映像を投写（表示）する。投写面は、スクリーンに限定されず、壁面であってもよい。
【００２３】
投写型映像表示装置１は、ユーザが操作するリモコン（リモートコントローラの略）から送信される赤外線変調されたリモコン信号を受信するリモコン受信部１０と、信号入力部２０とを備える。リモコン信号には、投写型映像表示装置１を遠隔制御するためのコマンド信号が含まれる。信号入力部２０は、外部の信号供給装置（図示せず）から供給される映像信号を受け付けるための入力ポート（コネクタなど）を含む。信号供給装置には、ＤＶＤ（Digital  Versatile  Disc）再生装置、Ｂｌｕ−Ｒａｙディスク再生装置などのデジタル信号を出力するデジタル信号供給装置と、コンピュータなどのアナログ信号を出力するアナログ信号供給装置とが含まれる。
【００２４】
投写型映像表示装置１は、レシーバ部３０と、映像信号処理回路３２と、ＯＳＤ（On  Screen  Display）回路３４と、ＤＡＣ（Digital  Analog  Converter）３６と、マイコン（マイクロコンピュータ）５０と、液晶表示駆動部３８と、投写レンズ装置４０と、投写レンズ駆動部６０とをさらに備える。
【００２５】
マイコン５０は、リモコン（図示せず）からリモコン受信部１０を介して入力したコマンド信号に基づいて、制御指令を生成して投写型映像表示装置１の各部へ出力する。
【００２６】
レシーバ部３０は、信号入力部２０から与えられる映像信号を受信して出力する映像信号受信回路である。レシーバ部３０の構成については、詳しく後述する。なお、レシーバ部３０は、受信したデジタル映像信号をアナログ信号に変換するＡＤＣ（Analog  Digital  Converter）機能や、ＨＤＣＰ（High-Bandwidth  Digital  Content  Protection  System）に従う認証機能および暗号の復号機能などを有してもよい。ここで、ＨＤＣＰとは、ＨＤＭＩ方式に従って伝送されるデータの暗号化を実現するために用いられる。これにより、デジタル伝送路上を伝送される映像信号などのコンテンツが不正にコピーされるのを防止できる。ここでは、デジタル伝送路は、ＨＤＭＩ方式に従って映像信号を伝送する経路であるとしているが、ＤＶＩ方式に従って映像信号を伝送する経路であってもよい。
【００２７】
映像信号処理回路３２は、レシーバ部３０から出力された映像信号を表示のための信号に処理して出力する。具体的には、映像信号処理回路３２は、レシーバ部３０からの映像信号を１フレーム（１画面）ごとにフレームメモリ（図示せず）に書き込むとともに、フレームメモリに記憶された映像を読み出す。そして、この書込みと読出しの処理の過程において、各種の映像処理を施すことにより、入力された映像信号を変換して投写映像用の映像信号を生成する。
【００２８】
ＯＳＤ回路３４は、映像信号処理回路３２から出力される映像信号に、マイコン５０から与えられる情報に基づく画像データの信号を重畳して、重畳された後に映像信号を出力する。
【００２９】
ＤＡＣ３６は、ＯＳＤ回路３４から出力された映像信号を入力し、アナログ信号に変換して液晶表示駆動部３８へ出力する。
【００３０】
液晶表示駆動部３８、投写レンズ装置４０およびランプ（図示せず）は、ＤＡＣ３６から出力される映像信号に従って、マイコン５０の制御の下に、スクリーンに映像を表示するための「表示部」に相当する。
【００３１】
表示部の動作について説明する。照明装置であるランプ（図示せず）は、たとえば超高圧水銀ランプ、メタルハライドランプ、キセノンランプなどからなる。ランプは、コネクタを介して投写型映像表示装置１に着脱自在に取り付けられる。ランプからは、略平行光となって光が液晶表示駆動部３８に出射される。
【００３２】
液晶表示駆動部３８は、図示しないレンズおよびプリズムを含む光学系と、Ｒ，Ｇ，Ｂの各液晶パネルとを含む。液晶表示駆動部３８では、内部の図示しないレンズ系を通過したランプからの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ３６から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズ装置４０によって、スクリーン上に拡大投写される。
【００３３】
投写レンズ装置４０は、投写光をスクリーンに結像させるためのレンズ群と、これらレンズ群の一部を光軸方向に変化させて投写映像のズーム状態およびフォーカス状態を調整するためのアクチュエータを備えている。
【００３４】
投写レンズ装置４０は、スクリーンへの投写画面位置を上下方向および左右方向に調整できるように、投写レンズ駆動部６０を備えている。投写レンズ駆動部６０は、投写レンズ装置４０を、液晶パネルおよびダイクロイックプリズムの光軸中心から一定範囲、シフト（移動）することが可能である。
【００３５】
投写レンズ駆動部６０は、モータなどの動力駆動源と、歯車機構などの動力伝達機構とを組み合わせて構成される。モータの回転力が、動力伝達機構によって上下方向または左右方向の直線移動力に変換されることにより、投写レンズ装置４０を上下方向または左右方向にシフトさせることができる。モータの回転数は、マイコン５０により制御される。
【００３６】
図２は、本発明の実施の形態に係る投写型映像表示装置１のレシーバ部３０の構成を示す概略図である。図２に示すレシーバ部３０は、イコライザ３０１と、減衰量検出部３０２と、制御部３０３と、信号受信部３０４とを備えている。
【００３７】
イコライザ３０１は、信号入力部２０から入力した映像信号の周波数特性を変更する。イコライザ３０１は、信号供給装置と信号入力部２０とをケーブルで繋ぐ場合、伝送路であるケーブルの長さや品質によって変化を受けたＴＭＤＳ信号を、復元や変化の最小化のために周波数特性を調整する。図２に示すＴＭＤＳ信号は、映像成分であるＴＭＤＳ＿Ｄ０±信号、ＴＭＤＳ＿Ｄ１±信号、ＴＭＤＳ＿Ｄ２±信号と、クロック信号であるＴＭＤＳ＿Ｃ±信号を含んでいる。
【００３８】
減衰量検出部３０２は、信号入力部２０から入力したＴＭＤＳ信号のクロック信号であるＴＭＤＳ＿Ｃ±信号から、入力したＴＭＤＳ信号の減衰量を検出する。信号供給装置から出力するＴＭＤＳ＿Ｃ±信号の電圧は予め決まっているので、信号入力部２０から入力したＴＭＤＳ＿Ｃ±信号を全波整流して得られた直流電圧値を測定することで、入力したＴＭＤＳ信号の減衰量を検出することができる。
【００３９】
制御部３０３は、減衰量検出部３０２で検出した減衰量に基づき、入力したＴＭＤＳ信号を増幅するようにイコライザ３０１を制御する。制御部３０３は、たとえばＴＭＤＳ＿Ｃ±信号の減衰量が２０％であった場合、イコライザ３０１でＴＭＤＳ信号（ＴＭＤＳ＿Ｄ０±信号、ＴＭＤＳ＿Ｄ１±信号、ＴＭＤＳ＿Ｄ２±信号およびＴＭＤＳ＿Ｃ±信号）を１．２５倍に増幅する。制御部３０３は、イコライザ３０１および信号受信部３０４を制御するためにＣＯＮＴＲＯＬ信号をイコライザ３０１および信号受信部３０４に出力する。なお、制御部３０３は、マイコン５０と別に設けても、マイコン５０と別に設けずに、マイコン５０内で処理してもよい。
【００４０】
信号受信部３０４は、イコライザ３０１で周波数特性を変更し、増幅したＴＭＤＳ信号を受信する。信号受信部３０４は、受信したＴＭＤＳ信号をＲＧＢ信号、ＨＳＹＮＣ（Horizontal  Synchronizing  signal）信号、ＶＳＹＮＣ（Vertical  Synchronizing  signal）信号、ＤＥ（Data  Enable）信号およびクロック信号ＣＬＫに変換して出力する。なお、信号受信部３０４は、前述したように受信したデジタル映像信号をアナログ信号に変換するＡＤＣ機能や、ＨＤＣＰに従う認証機能および暗号の復号機能などを有してもよい。
【００４１】
図３は、本発明の実施の形態に係る投写型映像表示装置１の減衰量検出部３０２の回路構成を示す回路図である。図３に示す減衰量検出部３０２は、差動増幅回路３２１と、全波整流回路３２２とを備えている。差動増幅回路３２１は、オペアンプＯＰ１と、オペアンプＯＰ１の負側入力端に接続してある抵抗Ｒ１と、オペアンプＯＰ１の負側入力端と出力端とに接続してある抵抗Ｒ２と、オペアンプＯＰ１の正側入力端に接続してある抵抗Ｒ３と、オペアンプＯＰ１の正側入力端と接地端子とに接続してある抵抗Ｒ４とを備えている。
【００４２】
差動増幅回路３２１は、負側入力端にＴＭＤＳ＿Ｃ−信号を、正側入力端にＴＭＤＳ＿Ｃ＋信号をそれぞれ入力し、位相の異なる２つのＴＭＤＳ＿Ｃ±信号の差分を増幅する。差動増幅回路３２１で増幅したＴＭＤＳ＿Ｃ±信号の差分は、Ｖｉｎ＝Ａｖ（αＶｐ−ｐ−（−αＶｐ−ｐ））信号として出力される。ここで、Ａｖは、差動ゲインであり、Ｒ２／Ｒ１＝Ｒ４／Ｒ３で決まる。αＶｐ−ｐは、ＴＭＤＳ＿Ｃ±信号の電圧波形であり、ＴＭＤＳ＿Ｃ＋信号とＴＭＤＳ＿Ｃ−信号とは位相が１８０度異なる。そのため、ＴＭＤＳ＿Ｃ＋信号の電圧波形αＶｐ−ｐは、ＴＭＤＳ＿Ｃ−信号の電圧波形αＶｐ−ｐ×（−１）となる。
【００４３】
全波整流回路３２２は、オペアンプＯＰ２，ＯＰ３と、抵抗Ｒ５，Ｒ６，Ｒ７と、ダイオードＤ１，Ｄ２と、コンデンサＣ１とを備えている。抵抗Ｒ５は、オペアンプＯＰ２の負側入力端と接地端子との間に接続してある。抵抗Ｒ６は、オペアンプＯＰ２の負側入力端とオペアンプＯＰ２の出力端との間に接続してある。抵抗Ｒ７は、抵抗Ｒ６と接続したオペアンプＯＰ２の出力端とオペアンプＯＰ３の負側入力端との間に接続してある。ダイオードＤ１は、オペアンプＯＰ２の負側入力端をカソードに、オペアンプＯＰ２の出力端をアノードにそれぞれ接続してある。ダイオードＤ２は、オペアンプＯＰ２の出力端をカソードに、抵抗Ｒ７をアノードにそれぞれ接続してある。コンデンサＣ１は、ダイオードＤ１に並列に接続してある。
【００４４】
差動増幅回路３２１から出力したＶｉｎ信号は、オペアンプＯＰ２，ＯＰ３の正側入力端にコンデンサＣ２を介して入力する。なお、オペアンプＯＰ２，ＯＰ３の正側入力端と、接地端子との間には抵抗Ｒ８を接続してある。全波整流回路３２２は、差動増幅回路３２１で増幅したＴＭＤＳ＿Ｃ±信号の差分であるＶｉｎ信号を全波整流する。
【００４５】
全波整流回路３２２で全波整流して得られた直流電圧値（オペアンプＯＰ３の出力端と接地端子との電位差Ｖｏｕｔを平滑化した実効電圧Ｖｒｍｓ）から減衰量を検出する。つまり、信号供給装置から出力するＴＭＤＳ＿Ｃ±信号の電圧は予め決まっているので、信号入力部２０から入力したＴＭＤＳ＿Ｃ±信号を全波整流回路３２２で全波整流して得られた直流電圧値（実効電圧Ｖｒｍｓ）を測定することで、入力したＴＭＤＳ信号の減衰量を検出することができる。直流電圧値（実効電圧Ｖｒｍｓ）は、図示していないアナログ・デジタル変換器でデジタル信号に変換され制御部３０３に供給される。オペアンプＯＰ３の出力端と制御部３０３との間に抵抗Ｒ９を接続し、抵抗Ｒ９と接地端子との間にコンデンサＣ３を接続してある。抵抗Ｒ９およびコンデンサＣ３は、平滑化回路を構成している。
【００４６】
なお、減衰量検出部３０２は、差動増幅回路３２１がＴＭＤＳ信号の増幅をオペアンプＯＰ１単体で行なう場合、周波数の高いＴＭＤＳ信号の成分が減衰し、回路全体の周波数特性も広域に減衰するローパスフィルタのような特性となる。そのため、減衰量検出部３０２は、オペアンプＯＰ１およびダイオードＤ１などに高い帯域の部品を用いる必要がある。
【００４７】
具体的に、図３に示す減衰量検出部３０２の動作を、ＴＭＤＳ＿Ｃ±信号、直流電圧値（実効電圧Ｖｒｍｓ）などの波形を用いて説明する。図４は、図３に示す減衰量検出部３０２に正常なＴＭＤＳ＿Ｃ±信号が入力された場合の波形図である。図５は、図３に示す減衰量検出部３０２に減衰したＴＭＤＳ＿Ｃ±信号が入力された場合の波形図である。
【００４８】
図４に示すＴＭＤＳ＿Ｃ±信号の波形は、信号供給装置と信号入力部２０との間を理想的なケーブルで繋いだときに、信号入力部２０に入力されたＴＭＤＳ＿Ｃ±信号の電圧波形αＶｐ−ｐである。ＴＭＤＳ＿Ｃ±信号の電圧波形αＶｐ−ｐは、ＴＭＤＳ＿Ｃ＋信号とＴＭＤＳ＿Ｃ−信号とで１８０度の位相差がある。
【００４９】
次に、図４に示すＶｉｎ信号の波形は、ＴＭＤＳ＿Ｃ＋信号とＴＭＤＳ＿Ｃ−信号との差に差動ゲインを掛けた波形で、ＴＭＤＳ＿Ｃ＋信号の２倍の振幅に差動ゲインを掛けた振幅を有している。図４に示す全波整流後の信号波形は、全波整流回路３２２で全波整流したＶｉｎ信号の波形で、Ｖｉｎ信号の波形の負側の波形を正側に折り返した波形であり、Ｖｉｎ信号の振幅を１／２倍した振幅を有している。図４に示す実効電圧Ｖｒｍｓの波形は、平滑化回路で平滑した全波整流後のＶｉｎ信号の波形で、αＶの電圧値を有する直流電圧である。なお、図４に示す信号波形の横軸は時間で、縦軸は電圧である。
【００５０】
図５に示すＴＭＤＳ＿Ｃ±信号の波形は、信号供給装置と信号入力部２０との間を粗悪なケーブルで繋いだときに、信号入力部２０に入力されたＴＭＤＳ＿Ｃ±信号の電圧波形βＶｐ−ｐである。ＴＭＤＳ＿Ｃ±信号の電圧波形βＶｐ−ｐは、ＴＭＤＳ＿Ｃ＋信号とＴＭＤＳ＿Ｃ−信号で１８０度の位相差がある。
【００５１】
次に、図５に示すＶｉｎ信号の波形は、ＴＭＤＳ＿Ｃ＋信号とＴＭＤＳ＿Ｃ−信号との差に差動ゲインを掛けた波形で、ＴＭＤＳ＿Ｃ＋信号の２倍の振幅に差動ゲインを掛けた振幅を有している。図５に示す全波整流後の信号波形は、全波整流回路３２２で全波整流したＶｉｎ信号の波形で、Ｖｉｎ信号の波形の負側の波形を正側に折り返した波形であり、Ｖｉｎ信号の振幅を１／２倍した振幅を有している。図５に示す実効電圧Ｖｒｍｓの波形は、平滑化回路で平滑した全波整流後のＶｉｎ信号の波形で、βＶの電圧値を有する直流電圧である。なお、図５に示す信号波形の横軸は時間で、縦軸は電圧である。
【００５２】
減衰量検出部３０２は、予め決まっている信号供給装置から出力するＴＭＤＳ＿Ｃ±信号の電圧を、理想的なケーブルで繋いだときの電圧値αＶとすると、粗悪なケーブルで繋いだときのＴＭＤＳ信号の減衰量を、β／αと求めることができる。そのため、制御部３０３は、減衰量検出部３０２で検出した減衰量（＝β／α）に基づき、入力したＴＭＤＳ信号を増幅（＝α／β倍）するようにイコライザ３０１を制御する。
【００５３】
次に、本発明の実施の形態に係る投写型映像表示装置１のレシーバ部３０の動作を説明する。図６は、本発明の実施の形態に係る投写型映像表示装置１のレシーバ部３０の動作を説明するためのフローチャートである。まず、減衰量検出部３０２は、信号入力部２０から入力したＴＭＤＳ信号を検出する（ステップＳ６１）。減衰量検出部３０２は、ステップＳ６１で検出したＴＭＤＳ信号のうち、クロック信号であるＴＭＤＳ＿Ｃ±信号に対して差動増幅、全波整流、および平滑化の処理を行ない直流電圧値（実効電圧Ｖｒｍｓ）を求め、減衰量を測定する（ステップＳ６２）。
【００５４】
制御部３０３は、ステップＳ６２で測定した減衰量に基づいて、イコライザ３０１がＴＭＤＳ信号を増幅する増幅率（ゲイン値）を決定する（ステップＳ６３）。ここで、信号供給装置から出力するＴＭＤＳ＿Ｃ±信号の電圧が予め決まっている場合、ＴＭＤＳ＿Ｃ±信号を全波整流して得られた直流電圧値（実効電圧Ｖｒｍｓ）と、イコライザ３０１がＴＭＤＳ信号を増幅するゲイン値との関係が一義的に決まっている。図７は、ＴＭＤＳ＿Ｃ±信号を全波整流して得られた直流電圧値（実効電圧Ｖｒｍｓ）と、イコライザ３０１がＴＭＤＳ信号を増幅するゲイン値との関係を示すグラフである。図７に示す縦軸はゲイン値を、横軸は直流電圧値（実効電圧Ｖｒｍｓ）をそれぞれ示している。直流電圧値（実効電圧Ｖｒｍｓ）が大きければ大きいほど、ゲイン値が低下する。制御部３０３は、直流電圧値（実効電圧Ｖｒｍｓ）を測定し、図７に示すグラフからイコライザ３０１がＴＭＤＳ信号を増幅するゲイン値を決定してもよい。
【００５５】
たとえば、制御部３０３は、信号供給装置と信号入力部２０とを繋ぐケーブルが長く、ＴＭＤＳ信号の減衰量が大きい場合、直流電圧値（実効電圧Ｖｒｍｓ）が小さくなるので、ケーブルでＴＭＤＳ信号が減衰していると判断して、大きい値のゲイン値に決定する。また、制御部３０３は、イコライザ３０１の増幅率が大きい（オーバーイコライジング状態）場合、直流電圧値（実効電圧Ｖｒｍｓ）が大きくなるので、オーバーイコライジング状態を回避するため、小さい値のゲイン値に決定する。
【００５６】
次に、イコライザ３０１は、ステップＳ６３で制御部３０３が決定したゲイン値で、ＴＭＤＳ信号を増幅する（ステップＳ６４）。減衰量検出部３０２は、ステップＳ６４で増幅したＴＭＤＳ信号のうち、クロック信号であるＴＭＤＳ＿Ｃ±信号に対して差動増幅、全波整流、および平滑化の処理を行ない直流電圧値（実効電圧Ｖｒｍｓ）を求め、減衰量を測定する（ステップＳ６５）。
【００５７】
制御部５は、ステップＳ６５で測定した減衰量に変化があるか否かを判定する（ステップＳ６６）。ステップＳ６５、Ｓ６６は、イコライザ３０１でＴＭＤＳ信号を増幅した後、たとえばケーブルを差替えるなどを行なうことで減衰量が変化していないかをモニタリングする処理である。そのため、制御部５は、減衰量に変化がないと判定した場合（ステップＳ６６：ＮＯ）、処理をステップＳ６５に戻し、ＴＭＤＳ信号の減衰量のモニタリングの処理を続ける。制御部５は、減衰量に変化があると判定した場合（ステップＳ６６：ＹＥＳ）、処理をステップＳ６２に戻し、再度、減衰量を測定し、ゲイン値を決定する。なお、再度、減衰量を測定する場合、減衰量検出部３０２は、ＴＭＤＳ信号が安定するまで（たとえば１秒程度）、減衰量の測定を待つ。
【００５８】
以上のように、本発明の実施の形態に係る投写型映像表示装置１およびレシーバ部３０は、制御部３０３が、減衰量検出部３０２で検出した減衰量に基づき、入力した映像信号を増幅するようにイコライザ３０１を制御するので、映像信号の種類、ケーブルの長さなどの変化に合わせて自動的に映像信号を増幅することができ、投写型映像表示装置１で表示する映像に乱れが生じないように映像信号を受信することができる。
【００５９】
なお、本実施の形態では、投写型映像表示装置１が液晶プロジェクタである場合を例に説明したが、本発明はこれに限定されるものではなく、ＤＭＤ（Digital  Mirror  Device）素子を用いたプロジェクタであってもよい。
【００６０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６１】
１  投写型映像表示装置、５，３０３  制御部、１０  リモコン受信部、２０  信号入力部、３０  レシーバ部、３２  映像信号処理回路、３４  ＯＳＤ回路、３８  液晶表示駆動部、４０  投写レンズ装置、５０  マイコン、６０  投写レンズ駆動部、３０１  イコライザ、３０２  減衰量検出部、３０４  信号受信部、３２１  差動増幅回路、３２２  全波整流回路。
【図１】
2012249139.tif 000003
【図２】
2012249139.tif 000004
【図３】
2012249139.tif 000005
【図４】
2012249139.tif 000006
【図５】
2012249139.tif 000007
【図６】
2012249139.tif 000008
【図７】
2012249139.tif 000009